(57)【特許請求の範囲】
【請求項１】
複数のロードモジュールを初期設定する方法に於いて、
各ロードモジュールは、初期設定制御部と複数の初期設定起動部とを含み、各初期設定起動部は初期設定の優先度を設定する優先度設定部を有し、前記初期設定制御部は前記初期設定起動部と該初期設定起動部の優先度とを登録する優先度管理制御部を有し、且つ前記複数のロードモジュールの初期設定の順序を管理するロードモジュール管理部を含む主初期設定制御部を有し、
前記初期設定制御部の前記優先度管理制御部に、前記初期設定起動部の優先度設定部に設定した初期設定の優先度と該初期設定起動部とを登録し、
前記主初期設定制御部のロードモジュール管理部に、前記ロードモジュールを登録し、
該主初期設定制御部は、前記ロードモジュール管理部を参照して前記優先度と前記ロードモジュールとを指示し、該指示によるロードモジュールの前記初期設定制御部は、前記優先度管理制御部を参照して指示された優先度の初期設定起動部に起動指示を与えて初期設定を行わせる過程を含み、
且つ前記優先度設定部に設定する前記優先度は、初期設定前に更新可能とし、更新された優先度を前記優先度管理制御部に登録する過程を含む
ことを特徴とするロードモジュール初期設定方法。
【請求項２】
前記主初期設定制御部は、各ロードモジュールの同一の優先度の初期設定起動部による初期設定の終了を識別して、次の優先度によりロードモジュールに初期設定の指示を与える過程を含むことを特徴とする請求項１記載のロードモジュール初期設定方法。
【発明の詳細な説明】
【０００１】
【産業上の利用分野】
本発明は、相互に関連する機能を含む複数のロードモジュールを円滑に初期設定することができるロードモジュール初期設定方法に関する。
【０００２】
【従来の技術】
情報処理装置や交換処理装置等のシステムの全機能を一つのロードモジュールにまとめて構成することも可能ではあるが、システムの機能が多岐にわたる場合、ロードモジュールの生産効率が低くなり、且つ保守性も悪くなる。従って、複数に分割したロードモジュールとして構成する場合が一般的である。その場合、各ロードモジュールをそれぞれ別個に作成して、システムの機能を実現できるように設定することになる。
【０００３】
このように複数のロードモジュールとして構成した場合、例えば、図４に示すように、複数のロードモジュール１００−１，１００−２を、ＯＳ（オペレーション・システム）部、即ち、共通プラットフォーム１０１に初期設定することになる。その場合、例えば、各ロードモジュール１００−１，１００−２は、初期設定制御部１１１，１２１と、複数の分割機能対応の初期設定データや処理機能を初期設定する初期起動部１１２−１，１１２−２，１１２−３，１２２−１，１２２−２，１２２−３とを含むものである。
【０００４】
そして、例えば、ロードモジュール１００−１は、初期設定制御部１１１が初期起動部１１２−１，１１２−２，１１２−３を予め設定された順序で起動して共通プラットフォーム１０１に設定し、次にロードモジュール１００−２の初期設定制御部１２１が初期起動部１２２−１，１２２−２，１２２−３を予め設定された順序で起動して共通プラットフォーム１０１に設定する。即ち、ロードモジュール単位で初期設定するものである。
【０００５】
【発明が解決しようとする課題】
一つのロードモジュールにより全機能を統合した構成のシステムは、規模が大きくなる程、ロードモジュールの生産性が低くなる。従って、前述のように、複数のロードモジュールに分割して、例えば、ロードモジュール単位で並行的に製作することになる。この場合に、複数のロードモジュールの例えばクラス単位間で連携が必要となる場合がある。しかし、各ロードモジュール間について相互に検討しながら製作できない状態が多く、その為に、複数のロードモジュールを図４について説明したように初期設定すると、システムとして正常に機能しないことになる。或いは、正常な初期設定ができない場合がある。
本発明は、前述の問題点を解決し、各ロードモジュールのクラス単位の初期設定の順序を保証できるようにすることを目的とする。
【０００６】
【課題を解決するための手段】
本発明のロードモジュール初期設定方法は、図１を参照して説明すると、複数のロードモジュール１−１，１−２を初期設定する方法であって、各ロードモジュール１−１，１−２は、初期設定制御部１１，２１と複数の初期設定起動部１３−１〜１３−３，２３−１〜２３−３とを含み、各初期設定起動部１３−１〜１３−３，２３−１〜２３−３は初期設定の優先度を設定する優先度設定部１４−１〜１４−３，２４−１〜２４−３を有し、初期設定制御部１１，２１は初期設定起動部と該初期設定起動部の優先度とを登録する優先度管理制御部１２，２２を有し、且つ複数のロードモジュール１−１，１−２の初期設定の順序を管理するロードモジュール管理部４を含む主初期設定制御部３を有し、初期設定制御部１１，２１の優先度管理制御部１２，２２に、初期設定起動部の優先度設定部に設定した初期設定の優先度と該初期設定起動部とを登録し、主初期設定制御部３のロードモジュール管理部４に、ロードモジュール１−１，１−２を登録し、主初期設定制御部３は、ロードモジュール管理部４を参照して前記優先度と前記ロードモジュールとを指示し、この指示によるロードモジュールの前記初期設定制御部は、優先度管理制御部を参照して指示された優先度の初期設定起動部に起動指示を与えて初期設定を行わせる過程を含むものである。
【０００７】
又優先度設定部１４−１〜１４−３，２４−１〜２４−３に設定する優先度は、初期設定前に異なる優先度に更新可能とし、更新された優先度を前記優先度管理制御部１１，２１に登録する過程を含むことができる。
【０００８】
又主初期設定制御部３は、各ロードモジュール１−１，１−２の同一の優先度の初期設定起動部による初期設定の終了を識別して、次の優先度によりロードモジュールに初期設定の指示を与える過程を含むものである。
【０００９】
【発明の実施の形態】
図１は、本発明の一実施の形態の説明図であり、１−１，１−２はロードモジュール、２は共通プラットフォーム、３は主初期設定制御部、４はロードモジュール管理部、１１，２１は初期設定制御部、１２，２２は優先度管理制御部、１３−１，１３−２，１３−３，２３−１，２３−２，２３−３は初期設定起動部、１４−１，１４−２，１４−３，２４−１，２４−２，２４−３は優先度設定部を示す。
【００１０】
各ロードモジュール１−１，１−２は、従来例と同様に初期設定制御部１１，２１と分割機能単位の初期設定起動部１３−１〜１３−３，２３−１〜２３−３とを含む構成を有するものであるが、初期設定制御部１１，２１に優先度管理制御部１２，２２を設け、又各初期設定起動部１３−１〜１３−３，２３−１〜２３−３に優先度設定部１４−１〜１４−３，２４−１〜２４−３を設ける。この優先度設定部１４−１〜１４−３，２４−１〜２４−３は、初期設定の優先度を設定する機能部であり、優先度管理制御部１２，２２は、優先度と初期設定起動部との関係を管理する機能部である。
【００１１】
又複数のロードモジュール１−１，１−２と共通プラットフォーム２との間に、主初期設定制御部３を設け、その主初期設定制御部３にロードモジュール管理部４を設ける。この主初期設定制御部３の機能は、初期設定制御部１１，２１の機能と類似したものであって、初期設定時に、複数のロードモジュールに対して起動等の指示を行う機能を有するものである。又ロードモジュール管理部４は、初期設定するロードモジュール１−１，１−２の順序等を管理する機能部である。
【００１２】
優先度は、クラス単位等の分割機能単位の初期設定起動部毎の初期設定の順序をロードモジュール内及びロードモジュール間で、機能連携等の関係に基づいて予め定めたものであり、例えば、Ｘ＞Ｙ＞Ｚの関係に定め、優先度Ｘの初期設定起動部による初期設定を行った後に、次の優先度Ｙの初期設定起動部による初期設定を行うことにより、異なるロードモジュールのクラス単位の連携を可能とする初期設定を行う為の優先度である。その為に、各ロードモジュール１−１，１−２のクラス単位等の初期設定起動部１３−１〜１３−３，２３−１〜２３−３の優先度設定部１４−１〜１４−３，２４−１〜２４−３に、初期設定の優先度を設定する。例えば、図１に於いては、最も高い優先度Ｘを優先度設定部１４−１，２４−３に設定し、次の優先度Ｙを優先度設定部１４−２，２４−１に設定し、最も低い優先度Ｚを優先度設定部１４−３，２４−２に設定した場合を示している。
【００１３】
初期設定制御部１１，２１は、初期設定起動部１３−１〜１３−３，２３−１〜２３−３からのエントリー登録を受付けて、優先度管理制御部１２，２２に、優先度設定部１４−１〜１４−３，２４−１〜２４−３対応の優先度Ｘ，Ｙ，Ｚを登録する。例えば、優先度管理制御部１２に於いては、優先度Ｘ＝初期設定起動部１３−１、優先度Ｙ＝初期設定起動部１３−２、優先度Ｚ＝初期設定起動部１３−３として登録し、優先度管理制御部２２に於いては、優先度Ｘ＝初期設定起動部２３−３、優先度Ｙ＝初期設定起動部２３−１、優先度Ｚ＝初期設定起動部２３−２として登録する。なお、同一のロードモジュール内に同一の優先度の複数の初期設定起動部を含む構成とすることも可能である。このような同一の優先度の初期設定起動部は、任意の順序で初期設定が可能であることを示す。
【００１４】
又主初期設定制御部３のロードモジュール管理部４は、ロードモジュール１−１，１−２からのエントリー登録を受付けて、初期設定するロードモジュールを管理する。この時に、各ロードモジュール１−１，１−２に設定した優先度の種別数も管理することができる。なお、ロードモジュール間の優先度も設定して管理することも可能であるが、この実施の形態に於いては、例えば、エントリー登録の順番に従ったロードモジュールの優先度として初期設定する場合を示す。
【００１５】
従って、図示のように、優先度Ｘ，Ｙ，Ｚが設定され、ロードモジュール１−１のエントリー登録が１番の場合には、主初期設定制御部３は、ロードモジュール１−１に対して最初は最も高い優先度Ｘの初期設定の起動を指示する。ロードモジュール１−１の初期設定制御部１１は、優先度管理制御部１２を参照し、登録されている優先度Ｘの初期設定起動部１３−１を起動させて、共通プラットフォーム２に対して、初期設定起動部１３−１単位の初期設定を開始する。
【００１６】
この初期設定起動部１３−１による初期設定が終了し、その終了通知を初期設定制御部１１を介して主初期設定制御部３に通知すると、主初期設定制御部３は、ロードモジュール管理部４により管理している次のロードモジュール１−２に対して優先度Ｘの初期設定の起動を指示する。ロードモジュール１−２の初期設定制御部２１は、優先度管理制御部２２を参照し、登録されている優先度Ｘの初期設定起動部２３−３を起動させて、共通プラットフォーム２に対して、初期設定起動部２３−３単位の初期設定を開始する。
【００１７】
この初期設定起動部２３−３による初期設定が終了し、その終了通知を初期設定制御部２１を介して主初期設定制御部３に通知すると、主初期設定制御部３は、ロードモジュール管理部４により管理しているロードモジュール１−２に対して優先度Ｘの次の優先度Ｙの初期設定の起動を指示する。ロードモジュール１−１の初期設定制御部１１は、優先度管理制御部１２に登録されている優先度Ｙの初期設定起動部１３−２を起動させて、共通プラットフォーム２に対して、初期設定起動部１３−２単位の初期設定を開始する。
【００１８】
この初期設定起動部１３−２による初期設定が終了し、その終了通知を初期設定制御部１１を介して主初期設定制御部３に通知すると、主初期設定制御部３は、ロードモジュール管理部４により管理している次のロードモジュール１−２に対して優先度Ｙの初期設定の起動を指示する。以下同様にして各ロードモジュール１−１，１−２の初期設定起動部の優先度に従った初期設定を実行する。
【００１９】
図２は本発明の一実施の形態の動作説明図であり、図１と同一符号は同一機能部を示す。ロードモジュール１−１，１−２を共通プラットフォーム２に初期設定する為に、主初期設定制御部３からＥｎｔｒｙ登録（エントリー登録）を行う。又ロードモジュール１−１，１−２の初期設定制御部１１，２１から主初期設定部３にＥｎｔｒｙ登録（エントリー登録）を行う。又初期設定起動部１３−１〜１３−３から初期設定制御部１１に、初期設定起動部２３−１〜２３−３から初期設定制御部２１に、それぞれ優先度Ｘ，Ｙ，Ｚを付加してＥｎｔｒｙ登録（エントリー登録）を行う。
【００２０】
この場合のエントリー登録は、任意の順序で行うことができる。従って、通常は、図示の場合の順序と逆の順序として、初期設定のトリガによって、初期設定制御部１１，２１に対し初期設定起動部１３−１〜１３−３、２３−１〜２３−３からエントリー登録を行った後、共通プラットフォーム２に対してエントリー登録を行うことができる。この初期設定起動部１３−１〜１３−３、２３−１〜２３−３から初期設定制御部１１，２１に対するエントリー登録により、初期設定制御部１１，２１の優先度管理制御部１２，２２に、初期設定起動部１３−１〜１３−３、２３−１〜２３−３の優先度設定部１４−１〜１４−３，２４−１〜２４−３に設定した優先度Ｘ，Ｙ，Ｚと初期設定起動部１３−１〜１３−３、２３−１〜２３−３とを登録する。
【００２１】
又初期設定制御部１１，２１から主初期設定制御部３に対するエントリー登録により、ロードモジュール１−１，１−２を識別できるものとなる。その時、優先度Ｘ，Ｙ，Ｚの種別数等も登録する。或いは、予め優先度の種別数を定めておくことにより、主初期設定制御部３は、初期設定を指示するロードモジュールと優先度とを管理することができる。
【００２２】
共通プラットフォーム２は、主初期設定制御部３からのエントリー登録に対して、再開起動を主初期設定制御部３に指示する。主初期設定制御部３は、エントリー登録順に従って選択したロードモジュールに対して起動指示を行う。図２に於いては、主初期設定制御部３は、先ず、優先度Ｘを指定して、ロードモジュール１−１を起動する。ロードモジュール１−１の初期設定制御部１１は、優先度管理制御部１２を参照して優先度Ｘの初期設定起動部１３−１に対して起動指示を与える。
【００２３】
この初期設定起動部１３−１によるロードモジュール１−１の一部の初期設定データ等の分割機能部分が共通プラットフォーム２に初期設定され、その初期設定が終了すると、図示を省略しているが、終了通知を初期設定制御部１１を介して主初期設定制御部２に通知する。主初期設定制御部２は、ロードモジュール管理部４を参照して、ロードモジュール１−１の次のロードモジュール１−２に対して優先度Ｘを指定して起動する。このロードモジュール１−２の初期設定制御部２１は、優先度管理制御部２２を参照して、優先度Ｘの初期設定起動部２３−３に対して起動指示を与える。それにより、共通プラットフォーム２に対する初期設定起動部２３−３による初期設定が開始され、その初期設定の終了時には、前述の場合と同様に図示を省略しているが、主初期設定制御部３に初期設定終了を通知する。
【００２４】
主初期設定制御部３は、優先度Ｘを指定した最後のロードモジュール１−２からの終了通知により、優先度Ｘの初期設定は総て終了したと判定し、ロードモジュール管理部４を参照し、優先度Ｘの次の優先度Ｙを指定して、ロードモジュール１−１を起動する。ロードモジュール１−１は、優先度管理制御部１２を参照して、優先度Ｙの初期設定起動部１３−２に対して起動指示を与える。
【００２５】
この場合も初期設定が終了すると、ロードモジュール１−２の優先度Ｙの初期設定起動部２３−１による初期設定に移行し、この初期設定も終了すると、主初期設定制御部３は、優先度Ｙの初期設定は総て終了したと判定し、次の優先度Ｚを指定してロードモジュール１−１を起動する。ロードモジュール１−１は、優先度管理制御部１２を参照して、優先度Ｚの初期設定起動部１３−３に対して起動指示を与える。この場合の初期設定が終了すると、ロードモジュール１−２の優先度Ｚの初期設定起動部２３−２による初期設定に移行し、この初期設定も終了すると、主初期設定制御部３は、優先度Ｚの初期設定は総て終了したと判定し、ロードモジュール管理部４を参照することにより、ロードモジュール１−１，１−２についての初期設定が総て終了したと判定する。
【００２６】
図３は本発明の他の実施の形態の説明図であり、共通プラットフォームは図示を省略している。同図に於いて、３１−１，３１−２，３１−３はロードモジュール、３３は主初期設定制御部、３４はロードモジュール管理部、４１, ５１，６１は初期設定制御部、４２，５２，６２は優先度制御管理部、４３−１〜４３−４，５３−１〜５３−３，６３−１，６３−２は初期設定起動部、４４−１〜４４−４，５４−１〜５４−３，６４−１，６４−２は優先度設定部を示す。
【００２７】
又優先度をＸ＞Ｙ＞Ｚ＞ｗとして設定する場合を示し、ロードモジュール３１−１は、優先度Ｘ，Ｙ，Ｚ，Ｗの初期設定起動部４３−１〜４３−４を含み、ロードモジュール３１−２は、優先度Ｘ，Ｙ，Ｚの初期設定起動部５３−３，５３−１，５３−２を含み、ロードモジュール３１−１は、優先度Ｙ，Ｗの初期設定起動部６３−１，６３−２を含む場合を示し、初期設定起動部の優先度を、それぞれの優先度設定部に設定する。
【００２８】
従って、初期設定制御部４１，５１，６１に対する初期設定起動部からのエントリー登録により、優先度管制御理部４２には、初期設定起動部４３−１〜４３−４とその優先度設定部４４−１〜４４−４に設定された優先度Ｘ，Ｙ，Ｚ，Ｗとが対応して登録され、優先度管理制御部５２には、初期設定起動部５３−１〜５３−３とその優先度設定部５４−１〜５４−３に設定された優先度Ｙ，Ｚ，Ｘとが対応して登録され、優先度管理制御部６２には、初期設定起動部６３−１，６３−２とその優先度設定部６４−１，６４−２に設定された優先度Ｙ，Ｗとが対応して登録される。
【００２９】
又主初期設定制御部３３に対するエントリー登録により、ロードモジュール管理部３４には、ロードモジュール３１−１，３１−２，３１−３が登録される。この場合、優先度の種別数は４であり主初期設定制御部３３はこの種別数を認識しているように構成する。又前述の場合と同様に初期設定するロードモジュールの順序は、エントリー登録順とすることが一般的であるが、予め設定することも可能である。
【００３０】
図示を省略した共通プラットフォームに対する初期設定に於いて、主初期設定制御部３３は、ロードモジュール管理部３４を参照して、優先度とロードモジュールとを指示し、指示されたロードモジュールは、初期設定制御部の優先度管理制御部を参照して、指示された優先度の初期設定起動部を指示して、初期設定を開始させる。
【００３１】
例えば、主初期設定制御部３３から優先度Ｘとロードモジュール３１−１とを指示すると、ロードモジュール３１−１の初期設定制御部４１は、優先度管理制御部４２を参照して、優先度Ｘの初期設定起動部４３−１を識別して起動指示を行う。この初期設定起動部４３−１による分割機能単位の初期設定が終了して、主初期設定制御部３３に通知すると、主初期設定制御部３３は、ロードモジュール管理部３４を参照し、優先度Ｘとロードモジュール３１−２とを指示する。
【００３２】
ロードモジュール３１−２の初期設定制御部５１は、優先度管理制御部５２を参照して、優先度Ｘの初期設定起動部５３−３を識別して起動指示を行う。この初期設定が終了し、主初期設定制御部３３は、ロードモジュール管理部３４を参照して、優先度Ｘとロードモジュール３１−３とを指示すると、ロードモジュール３１−３の初期設定制御部２は、優先度管理制御部６２を参照し、優先度Ｘの初期設定起動部を含まないことが判るから、主初期設定制御部３３にその旨或いは終了を通知する。
【００３３】
主初期設定制御部３３は、ロードモジュール管理部３４を参照し、次の優先度Ｙとロードモジュール３１−１とを指示すると、ロードモジュール３１−１の初期設定制御部４１は、優先度管理制御部４２を参照して、優先度Ｙの初期設定起動部４３−１を識別して起動指示を行う。以下同様にして、優先度Ｙの初期設定起動部５３−１，６３−１による初期設定が行われる。
【００３４】
次に主初期設定制御部３３は、ロードモジュール管理部３４を参照して、優先度Ｚとロードモジュール３１−１とを指示する。このロードモジュール３１−１の優先度Ｚの初期設定起動部４３−３による初期設定が終了すると、主初期設定制御部３３は、優先度Ｚとロードモジュール３１−２とを指示する。それによるロードモジュール３１−２の優先度Ｚの初期設定起動部５３−２による初期設定が終了すると、主初期設定制御部３３は、優先度Ｚとロードモジュール３１−３とを指示する。このロードモジュール３１−３の初期設定制御部６１は、優先度管理制御部６２を参照すると、優先度Ｚの初期設定起動部が存在しないことがわかるから、主初期設定制御部３３にその旨或いは終了を通知する。
【００３５】
主初期設定制御部３３は、ロードモジュール管理部３４を参照し、次の優先度Ｗとロードモジュール３１−１とを指示すると、ロードモジュール３１−１の初期設定制御部４１は、優先度管理制御部４２を参照して、優先度Ｗの初期設定起動部４３−４を識別して起動指示を行う。この起動指示に従った初期設定が終了すると、主初期設定制御部３３は、ロードモジュール管理部３４を参照し、優先度Ｗとロードモジュール３１−２とを指示すると、ロードモジュール３１−２の初期設定制御部５１は、優先度管理制御部５２を参照すると、優先度Ｚの初期設定起動部が存在しないことがわかるから、主初期設定制御部３３にその旨或いは終了を通知する。
【００３６】
主初期設定制御部３３は、ロードモジュール管理部３４を参照し、優先度Ｗと次のロードモジュール３１−３とを指示すると、ロードモジュール３１−３の初期設定制御部６１は、優先度管理制御部６２を参照して、初期設定起動部６３−２を起動し、初期設定が終了して主初期設定制御部３３に終了を通知すると、ロードモジュール管理部３４を参照して、全ロードモジュールの初期設定の終了を確認することができる。
【００３７】
前述の優先度設定部に設定する優先度は、初期設定起動前に更新可能であり、従って、分割して製作したロードモジュール間の初期設定起動部単位の相互連携の関連に基づいて、最適な初期設定順序に変更することも容易である。又初期設定の優先度は、僅かなデータ量であるから、その設定も容易であり、且つ管理も容易である。又主初期設定制御部の機能も比較的簡単であり、容易に作成することができる。
【００３８】
【発明の効果】
以上説明したように、本発明は、複数のロードモジュールを初期設定する方法に於いて、各ロードモジュール１−１，１−２，３１−１〜３１−３は、初期設定制御部１１，２１，４１，５１，６１と複数の初期設定起動部１３−１〜１３−３，２３−１〜２３−３，４３−１〜４３−４，５４−１〜５４−３，６３−１，６３−２とを含み、各初期設定起動部は初期設定の優先度を設定する優先度設定部１４−１〜１４−３，２４−１〜２４−３，４４−１〜４４−４，５４−１〜５４−３，６４−１，６４−２を有し、初期設定制御部は初期設定起動部と該初期設定起動部の優先度とを登録する優先度管理制御部１２，２２，４２，５２，６２を有し、且つ複数のロードモジュールの初期設定の順序を管理するロードモジュール管理部４、３４を含む主初期設定制御部３、３３を有し、初期設定制御部１１，２１の優先度管理制御部１２，２２に、初期設定起動部の優先度設定部に設定した初期設定の優先度と該初期設定起動部とを登録し、主初期設定制御部のロードモジュール管理部に、初期設定するロードモジュールを登録し、主初期設定制御部は、ロードモジュール管理部を参照して、優先度とロードモジュールとを指示し、この指示によるロードモジュールの初期設定制御部は、優先度管理制御部を参照して指示された優先度の初期設定起動部に起動指示を与えて初期設定を行わせる過程を含むもので、ロードモジュール間で連携が必要なクラス単位等の分割機能単位についても優先度を付与することにより、初期設定の順序を保証できるから、ロードモジュールを再作成する必要もなく、従って、ロードモジュールの生産性を向上することができる利点がある。又優先度設定部に対する優先度の更新設定により初期設定前に所望の連携動作可能の状態として初期設定することができる利点がある。
【図面の簡単な説明】
【図１】本発明の一実施の形態の説明図である。
【図２】  本発明の一実施の形態の動作説明図である。
【図３】本発明の他の実施の形態の説明図である。
【図４】従来例の説明図である。
【符号の説明】
１−１，１−２  ロードモジュール
２  共通プラットフォーム
３  主初期設定制御部
４  ロードモジュール管理部
１１，２１  初期設定制御部
１２，２２  優先度管理制御部
１３−１〜１３−３，２３−１〜２３−３  初期設定起動部
１４−１〜１４−３，２４−１〜２４−３  優先度設定部
【図１】
0003925238.tif 000002
【図２】
0003925238.tif 000003
【図３】
0003925238.tif 000004
【図４】
0003925238.tif 000005